(57)【要約】【課題】スキミング防止用として使用される箔材状のスキミング防止用箔材を用途に応じ所望の大きさに切り取り可能のものとしたスキミング防止用箔材を提供する。【解決手段】比較的広面積の例えばアルミニウム箔に各種の切り取り線が印刷され、この切り取り線を基にして任意の大きさのアルミニウム箔を容易に切り取ることができる。【選択図】図１
0003116366.tif 000002
【実用新案登録請求の範囲】
【請求項１】
磁気カード，ＩＣカード，ＩＣタグのような有価情報記録媒体の有用情報を主体の意図に反して盗みとる所謂スキミングの防止に使用されるスキミング防止手段であって、該手段は銅，アルミニウム，銀，ニッケル，鉄を主構成成分とする箔状金属材又は繊維状の薄板金属材からなり、その面上に利用者の希望するサイズに見合うサイズの切り取り線が設けられていることを特徴とするスキミング防止用箔材。
【請求項２】
前記箔材の厚みが２０μｍ以下のものからなることを特徴とする請求項１に記載のスキミング防止用箔材。
【考案の詳細な説明】
【技術分野】
【０００１】
本考案は、磁気カード，ＩＣカード，ＩＣタグのような何らかの情報を記録保有する有用情報記録媒体の情報を主体の意図に反して盗み取る（取得する）所謂スキミング行為を有効に防止するために使用される簡便構造のスキミング防止用箔材に係り、特に、任意のサイズの箔材を容易に切り取りできるスキミング防止用箔材に関する。
【背景技術】
【０００２】
クレジットカードなどの情報を不正に読み出して複製したり、キャッシュカードの記録情報を不正に読み出してコピー等を作成して使用する犯罪行為が最近数多く行われている。これ等の行為は所謂スキミングと言われ、その被害度の大きさからこの防止のための手段が数多く開示されている。例えば、「特許文献１」や「特許文献２」が挙げられる。
【特許文献１】特開平１１−４５３１６号公報（図１）
【特許文献２】特開２００４−１８８２１５号公報（図１）
【考案の開示】
【考案が解決しようとする課題】
【０００３】
「特許文献１」の特開平１１−４５３１６号公報の「ＩＣカードケース及びＩＣカード」は、ＩＣカードの電磁波の誘導を遮断又は減衰させてスキミングを防止するためのＩＣカードケースを開示するものである。また、「特許文献２」の「特開２００４−１８８２１５号公報」の「収納ケース」は、ＩＣカードをすっぽり内部に収納して電磁波を遮断する収納ケースを開示するものである。これ等の公知技術によりＩＣカードのスキミングは有効に防止される。
【０００４】
しかしながら、前記のスキミング防止手段であるＩＣカードケースや収納ケースは前記のようにＩＣカードを全体としてすっぽり収納するものである。有用情報記録媒体としては前記のＩＣカードのように１枚の板状のものが一般であるが、これ等の有用情報記録媒体は裸の状態で通常持ち歩きするものでなく、例えば、財布のような収納体の内部に札等と共に保管されるのが普通である。また、この場合、有用情報記録媒体は１個のみでなく、通常複数のものが同一の収納体（財布等）内に保管されるのが通常である。従って、この有用情報記録媒体を前記のような収納ケース等により被包すると、この収納ケースを財布等に収納することは実際上無理である。従って、財布全体をすっぽり被包する形態のスキミング防止手段が必要とする。
【０００５】
しかしながら、財布等の収納体には開口部が必要であり、スキミング防止手段により全体が被包されると取扱い上極めて不便になり、実際上使用できない。従って、従来のスキミング防止手段は現実上、有効に使用されない問題点がある。
【０００６】
本考案は、以上の事情に鑑みて考案されたものであり、スキミング防止効果があると共に、使用時において必要なサイズに容易に切り出し可能な形状のものからなる簡便，安価で軽量のスキミング防止用箔材を提供することを目的とする。
【課題を解決するための手段】
【０００７】
本考案は、以上の目的を達成するために、請求項１の考案は、磁気カード，ＩＣカード，ＩＣタグのような有価情報記録媒体の有用情報を主体の意図に反して盗みとる所謂スキミングの防止に使用されるスキミング防止手段であって、該手段は銅，アルミニウム，銀，ニッケル，鉄を主構成成分とする箔状金属材又は繊維状の薄板金属材からなり、その面上に利用者の希望するサイズに見合うサイズの切り取り線が設けられていることを特徴とする。
【０００８】
また、請求項２の考案は、前記箔材の厚みが２０μｍ以下のものからなることを特徴とする。
【考案の効果】
【０００９】
本考案の請求項１の「スキミング防止用箔材」によれば、切り取り線を基にして箔材を切り取り、この薄片を有用情報記録媒体の周辺部やこれを収納している収納体の内部に入れるだけで、スキミングの情報の授受システムを妨害できる。この薄片のサイズは収納体の形状や種類により様々であるが、切り取り線の本考案の箔材を用いることにより、好みのサイズのスキミング防止用箔材を求めることが容易にできる。また、箔材のため軽量であり、自由に持ち運びでき、必要時に適宜のサイズに切り取って使用することができ、極めて便利である。
【００１０】
また、本考案の請求項２の「スキミング防止用箔材」によれば、箔材の厚みが明示されており、この厚み以上のものは各周波数に対して減衰量（シールド性）が殆ど変化せず箔材の厚みが厚くなればその分コスト高となる。よってその限界厚みを定め、コスト高を防止するようにしたものである。
【考案を実施するための最良の形態】
【００１１】
以下、本考案のスキミング防止用箔材の実施の形態を図面を参照して詳述する。
【実施例１】
【００１２】
スキミング防止用箔材としては、銅，アルミニウム，銀，ニッケル，鉄等を主構成成分としたものや繊維状のものが使用されるが、図１はアルミニウム箔１を用いたものである。このアルミニウム箔１は全体がアルミニウム材からなり、その厚みは約１２μｍのものからなる。このアルミニウム箔１には図示のように切り取り線２が形成されている。切り取り線２としては任意のものでよいが、例えば、Ａサイズ又はＢサイズのものやこれを混在させたものでよく、印刷等により表示される。ハサミ等を用いて希望するサイズのアルミニウム箔１ａを切り取り線２を基にして簡単に切り落しすることができる。このものは極めて軽量であり、自由に持ち運びができ所望の部分に配置することができる。また、図１又は図２に示すようにこのアルミニウム箔１にはこれを他の部分に固定するためのマジックテープ３が適宜の場所に貼着される。
【実施例２】
【００１３】
図２は図１のアルミニウム箔１から切り出されたアルミニウム箔１ａを２枚用いたものである。２枚のアルミニウム箔１ａ，１ａは伸長性のある材料のテープ４によりその一端側を連結されて折り曲げ可能の２つ折りタイプのスキミング防止用箔材を示す。ここにもマジックテープ３が貼着される。図３はこのタイプのスキミング防止用箔材を用いたＩＣカード５のスキミング防止構造の一例を示したものである。ＩＣカード５は２つ折りされスキミング防止用箔材に挟持された状態で保持される。これにより、スキミングの防止を確実に行うことができる。なお、図２に示すタイプのスキミング防止用箔材によって開口部のある財布内のＩＣカード等も保護することができる。
【産業上の利用可能性】
【００１４】
本考案は、アルミニウム箔のような薄肉のスキミング防止用箔材に切り取りし易い切り取り線をつけたものであり、各種のサイズや形状のスキミング防止用部材に簡単に適用されるものであり、その利用範囲は極めて広い。
【図面の簡単な説明】
【００１５】
【図１】本考案の１つの実施例を示す平面図。
【図２】本考案の別の実施例を示す模式的斜視図。
【図３】本考案のスキミング防止用箔材によるＩＣカードのスキミング防止方法の一例を示す断面図。
【符号の説明】
【００１６】
１    アルミニウム箔
１ａ  アルミニウム箔
２    切り取り線
３    マジックテープ
４    テープ
５    ＩＣカード
【図１】
0003116366.tif 000003
【図２】
0003116366.tif 000004
【図３】
0003116366.tif 000005